(57)【要約】【課題】施設の共用部に設置された画像形成装置による広告の出力に掛かる手間を削減する。【解決手段】  広告支援システム１は、施設の共用部に設置され、プリント出力を行う複合機２と、施設のユーザーの識別情報を記憶する携帯キー４と、携帯キー４から識別情報を読み取る読取装置５と、読取装置５から識別情報を受信し、識別情報の認証に応じて共用部の扉の開閉又は施解錠を制御する扉制御装置６とを備える。扉制御装置６は、識別情報を認証した場合に識別情報を複合機２へ送信する。複合機２は、広告データを記憶する記憶部３１と、扉制御装置６から識別情報を受信し、識別情報の認証に応じてユーザーをログインするログイン処理部３５と、ユーザーのログインに応じて、記憶部３１の広告データから、ユーザーへ出力する出力データを選択する広告選択部３６と、選択された出力データのプリント出力を制御する出力制御部３７とを備える。【選択図】図１
2020181352.tif 000002
【特許請求の範囲】
【請求項１】
施設の共用部に設置されていて、用紙に画像を形成するプリント出力を実行する画像形成装置と、
前記施設のユーザーに固有の識別情報を記憶する携帯キーと、
所定の通信範囲内の前記携帯キーと通信を行って前記携帯キーから前記識別情報を読み取る読取装置と、
前記読取装置と通信可能に接続されていて、前記読取装置から前記識別情報を受信し、該識別情報の認証に応じて前記共用部の扉の開閉又は施解錠を制御する扉制御装置と、
を備え、
前記扉制御装置は、前記画像形成装置と通信可能に接続されていて、前記識別情報を認証した場合に前記識別情報を前記画像形成装置へ送信し、
前記画像形成装置は、
広告データを記憶する記憶部と、
前記扉制御装置から前記識別情報を受信し、該識別情報の認証に応じて前記ユーザーのログインを許可するログイン処理部と、
前記ユーザーのログインに応じて、前記記憶部に記憶された前記広告データから、前記ユーザーへ出力する出力データを選択する広告選択部と、
前記広告選択部によって選択された前記出力データの画像の前記プリント出力を制御する出力制御部と、
を備えることを特徴とする広告支援システム。
【請求項２】
前記画像形成装置は、
前記ユーザーの操作を受け付ける操作部を更に備え、
前記記憶部は、手動出力及び自動出力の何れかの出力設定を前記ユーザーに関連付けて予め記憶し、
前記出力制御部は、ログインした前記ユーザーの前記出力設定が前記手動出力の場合には、前記プリント出力のための出力準備動作を行った後、前記操作部の広告プリント開始の操作に応じて、前記プリント出力を実行する一方、該出力設定が前記自動出力の場合には、前記出力準備動作を行った後、前記操作部の操作に拘らず、自動的に前記プリント出力を実行することを特徴とする請求項１に記載の広告支援システム。
【請求項３】
前記記憶部は、出力すべき前記広告データのカテゴリを示すカテゴリ設定を前記ユーザーに関連付けて予め記憶し、
前記広告選択部は、前記カテゴリ設定に基づいて、前記広告データから前記出力データを選択することを特徴とする請求項１又は２に記載の広告支援システム。
【発明の詳細な説明】
【技術分野】
【０００１】
本発明は、集合住宅等の施設の共用部に設置された画像形成装置を利用して広告を出力する広告支援システムに関する。
【背景技術】
【０００２】
従来、画像形成装置には、集合住宅等の施設の共用部に配置され、配信された広告データに基づいて広告をプリント出力する広告支援装置として動作するものがある。
【０００３】
例えば、特許文献１において、広告支援装置は、集合住宅の住人によるログインを受け付ける認証部と、配信された広告データを受信する通信部と、受信した広告データを記憶する記憶部と、記憶されている広告データの中から印刷出力の対象となる広告データである出力対象データを選択するための操作表示部と、選択された広告データに基づいて印刷媒体上に画像を形成して出力する出力部と、記憶部に記憶されている広告データを予め設定されている条件に基づいて削除する広告データ管理部とを備える。
【先行技術文献】
【特許文献】
【０００４】
【特許文献１】特開２０１８−５５５０８号公報
【発明の概要】
【発明が解決しようとする課題】
【０００５】
しかし、上記した広告支援装置のような画像形成装置は、ユーザーがスマートフォンを用いて画像形成装置と通信を行い、更に、画像形成装置に対してログイン操作や出力する広告データの選択操作を行う必要があり、ユーザーに手間が掛かる。また、共用部に設置されている画像形成装置は、一定時間使用していない場合には、電力の消費を削減するために省エネモードに設定される。このとき、ユーザーが広告を出力しようとする場合、画像形成装置は、省エネモードから通常モードに復帰する動作が必要になり、また、必要に応じてキャリブレーションを実行するので、広告が出力されるまでに時間が掛かることになる。また、共用部で広告出力に時間が掛かると、ユーザーは円滑に外出又は帰宅することができない。
【０００６】
そこで、本発明は上記事情を考慮し、施設の共用部に設置された画像形成装置による広告の出力に掛かる手間を削減することを目的とするものである。
【課題を解決するための手段】
【０００７】
上記した目的を達成するため、本発明の広告支援システムは、施設の共用部に設置されていて、用紙に画像を形成するプリント出力を実行する画像形成装置と、前記施設のユーザーに固有の識別情報を記憶する携帯キーと、所定の通信範囲内の前記携帯キーと通信を行って前記携帯キーから前記識別情報を読み取る読取装置と、前記読取装置と通信可能に接続されていて、前記読取装置から前記識別情報を受信し、該識別情報の認証に応じて前記共用部の扉の開閉又は施解錠を制御する扉制御装置と、を備える。前記扉制御装置は、前記画像形成装置と通信可能に接続されていて、前記識別情報を認証した場合に前記識別情報を前記画像形成装置へ送信する。前記画像形成装置は、前記広告データを記憶する記憶部と、前記扉制御装置から前記識別情報を受信し、該識別情報の認証に応じて前記ユーザーのログインを許可するログイン処理部と、前記ユーザーのログインに応じて、前記記憶部に記憶された前記広告データから、前記ユーザーへ出力する出力データを選択する広告選択部と、前記広告選択部によって選択された前記出力データの画像の前記プリント出力を制御する出力制御部と、を備えることを特徴とする。
【発明の効果】
【０００８】
本発明によれば、施設の共用部に設置された画像形成装置による広告の出力に掛かる手間を削減することができる。
【図面の簡単な説明】
【０００９】
【図１】本発明の実施形態に係る広告支援システムの構成を示すブロック図である。
【図２】本発明の実施形態に係る広告支援システムの複合機を示す断面図である。
【図３】本発明の実施形態に係る広告支援システムの広告出力動作を示すフローチャートである。
【発明を実施するための形態】
【００１０】
先ず、本発明の実施形態に係る広告支援システム１について図１を参照しながら説明する。広告支援システム１は、複合機２（画像形成装置）と、広告配信装置３と、携帯キー４と、読取装置５と、扉制御装置６と、扉開閉装置７とを備える。複合機２は、インターネット等のネットワーク８を介して広告配信装置３と通信可能に接続されていて、更に、有線又は無線で扉制御装置６と通信可能に接続されている。携帯キー４は、無線で読取装置５と通信可能に接続され、読取装置５は、有線又は無線で扉制御装置６と通信可能に接続されている。
【００１１】
複合機２は、特定のユーザー（以下、単にユーザーと称する）が入退室可能な集合住宅やオフィス等の施設のエントランス等の共用部に設置される。施設は、複数の部屋（複数の階）を有し、各ユーザーに各部屋（各階）を割り当てて個別に利用可能にしている。共用部には、入退室を制限する扉が設けられ、即ち、複合機２は、扉の内側に配置される。読取装置５は、扉又は扉付近の壁に設けられる。広告支援システム１は、少なくとも１つの読取装置５を扉の外側に配置するが、２つの読取装置５を扉の外側及び内側にそれぞれ配置してもよい。共用部の扉は、例えば、スライドして開閉する自動ドアで構成され、扉開閉装置７に駆動されて開扉又は閉扉する。
【００１２】
次に、複合機２について図２を参照しながら説明する。以下、説明の便宜上、図２における紙面手前側を複合機２の前側とする。各図に適宜付される矢印Ｌ、Ｒ、Ｕ、Ｌｏは、それぞれ複合機２の左側、右側、上側、下側を示す。
【００１３】
複合機２は、箱型の装置本体１０を備える。装置本体１０内の下部には用紙を収納する複数の給紙カセット１１が設けられる。装置本体１０の上部の胴内空間には、排紙トレイ１２が設けられる。
【００１４】
装置本体１０の上部の正面側には、操作表示部１３が設けられる。操作表示部１３は、例えば、テンキー、スタートキー、システムメニューキー、広告プリント開始キー等の操作キーやタッチパネルを備えてユーザーの操作を受け付ける操作部と、タッチパネルを覆う液晶パネル等の表示部とから構成される。なお、各操作キーはタッチパネルに設けられてもよい。
【００１５】
装置本体１０の中央部には、中間転写ベルト２０が複数のローラー間に架設される。中間転写ベルト２０の下側には、画像を形成する４つの画像形成部２１がトナーの色（例えば、イエロー、マゼンタ、シアン、ブラックの４色）毎に設けられる。４つの画像形成部２１の下方には、露光部２２が設けられる。中間転写ベルト２０の右端には、二次転写部２３が設けられ、中間転写ベルト２０の左端には、中間転写ベルト２０を清掃するクリーニングユニット２４が設けられる。二次転写部２３は、中間転写ベルト２０の右端側の一部と二次転写ローラーとで構成される。
【００１６】
各画像形成部２１には、像担持体としての感光体ドラムが回転可能に設けられ、感光体ドラムの周囲には、帯電部と、現像部と、一次転写部と、除電部と、クリーニング部とが、電子写真のプロセス順に配置される。現像部の上方には、各画像形成部２１と対応するトナーコンテナが、トナーの色（例えば、イエロー、マゼンタ、シアン、ブラックの４色）毎に設けられ、各トナーコンテナは、各色のトナーを収容する。
【００１７】
装置本体１０の右部には、用紙の搬送経路２５が設けられる。搬送経路２５の上流部には、複数の給紙部２６が複数の給紙カセット１１毎に設けられる。搬送経路２５の中流部には、上記の二次転写部２３が設けられる。搬送経路２５の下流部には、定着部２７が設けられ、搬送経路２５の下流端には排紙部２８が設けられる。
【００１８】
次に、複合機２の画像形成動作について説明する。先ず、各画像形成部２１において、帯電部が感光体ドラムを帯電した後、プリントデータに基づいて露光部２２が感光体ドラムを露光して、感光体ドラム上に静電潜像が形成される。感光体ドラム上の静電潜像は、現像部によって各色のトナー像に現像される。感光体ドラム上の各色のトナー像は、一次転写部によって中間転写ベルト２０の表面に一次転写される。以上の動作を４つの画像形成部２１が順次行うことによって、中間転写ベルト２０上にフルカラーのトナー像が形成される。トナー像は、中間転写ベルト２０の回転によって、所定の二次転写タイミングで二次転写部２３へ供給される。
【００１９】
また、給紙カセット１１に収納された用紙が、給紙部２６によって取り出されて搬送経路２５上を搬送される。搬送経路２５上の用紙は、上記の所定の二次転写タイミングで二次転写部２３へ搬送される。二次転写部２３では、中間転写ベルト２０上のトナー像が用紙に二次転写される。トナー像を二次転写された用紙は、搬送経路２５を下流側へ搬送されて、定着部２７によってトナー像が用紙に定着された後、排紙部２８から排紙トレイ１２へ排出される。
【００２０】
次に、複合機２の電気的な構成について図１を参照しながら説明する。複合機２は、ＣＰＵ等からなる制御部３０と、ＲＯＭやＲＡＭ、ＨＤＤ等からなる記憶部３１とを装置本体１０の内部に備える。制御部３０は、記憶部３１に接続されていて、記憶部３１に記憶された制御プログラムや制御用データに基づいて演算処理を実行することにより、制御部３０に接続された複合機２の各構成要素を制御する。例えば、制御部３０は、操作表示部１３や画像形成部２１、露光部２２等の構成要素に接続されていて、これらの構成要素を制御する。
【００２１】
制御部３０は、通常モードやスリープモード（省エネモード）の何れかの動作モードを設定し、例えば、複合機２が一定時間使用されていない場合には、スリープモードを設定する。
【００２２】
また、制御部３０は、通信部３２に接続されていて、通信部３２は、インターネット等のネットワーク８を介して広告配信装置３と通信可能に接続され、また、有線又は無線で扉制御装置６と通信可能に接続される。
【００２３】
制御部３０は、記憶部３１に記憶される制御プログラムを実行することにより、情報設定部３３、広告データ管理部３４、ログイン処理部３５、広告選択部３６及び出力制御部３７として機能する。
【００２４】
情報設定部３３は、複合機２が設置されている施設の複数のユーザーのそれぞれに関する複数のユーザー情報を予め登録して記憶部３１に記憶する。例えば、情報設定部３３は、ユーザー情報を設定可能な設定画面（図示せず）を操作表示部１３の表示器に表示し、ユーザー又は複合機２（施設）の管理者が、操作表示部１３の操作部によって設定画面を操作することで、ユーザー情報を予め登録してよい。
【００２５】
ユーザー情報には、ユーザーを識別可能な第１識別情報、ユーザーに割り当てられた部屋の部屋番号、その部屋にユーザーが在室しているか否かを示す在室情報が含まれる。なお、第１識別情報は、部屋番号と同じでよく、あるいは異なってもよい。第１識別情報は、複合機２にログインするユーザーを識別するための識別情報であって、同一のユーザーが所持する携帯キー４に記憶される第２識別情報（識別情報）や、同一のユーザーを扉制御装置６が認証するために扉制御装置６に記憶される第３識別情報と同じ内容の識別情報である。なお、携帯キー４の第２識別情報は、特許請求の範囲において、単に識別情報と称する。
【００２６】
情報設定部３３は、扉制御装置６が携帯キー４の第２識別情報を認証して共用部の扉を開扉した場合に、扉制御装置６から第２識別情報及び開扉状態の開閉情報を受信する。在室情報が不在に設定されていた場合に、第２識別情報及び開扉状態の開閉情報を受信すると、情報設定部３３は、ユーザーが帰宅したと判定して、在室情報を在室に設定する。また、在室情報が在室に設定されていた場合に、第２識別情報及び開扉状態の開閉情報を受信すると、情報設定部３３は、ユーザーが外出したと判定して、在室情報を不在に設定する。
【００２７】
更に、ユーザー情報には、ユーザーが複合機２を利用して広告を出力する際の操作として手動出力及び自動出力の何れかを示す出力設定が含まれる。また、ユーザー情報には、ユーザーが複合機２を利用して出力する広告のカテゴリを示すカテゴリ設定が含まれる。情報設定部３３は、広告を、住宅関連、飲食関連、買物関連、保険関連等の様々なカテゴリに分類することができ、カテゴリ設定として、１つのカテゴリを設定してもよく、２つ以上のカテゴリの組み合わせを設定してもよい。
【００２８】
広告データ管理部３４は、広告配信装置３から配信される広告データを受信して記憶部３１に記憶する。なお、広告データ管理部３４は、広告データをカテゴリ毎に識別して記憶部３１に記憶していて、カテゴリ毎に広告データを記憶部３１から読み出すことができる。
【００２９】
ログイン処理部３５は、携帯キー４の第２識別情報を認証した扉制御装置６から第２識別情報を受信し、この第２識別情報を用いてログイン処理を行う。ログイン処理部３５は、ログイン処理として、記憶部３１に予め記憶された複数のユーザー情報の各第１識別情報と、扉制御装置６から受信した第２識別情報とを比較する。そして、ログイン処理部３５は、第２識別情報と一致する第１識別情報を検出すると、第２識別情報を正当と認証して、検出した第１識別情報に識別されるユーザーのログインを許可する。ログインしたユーザーは、後述するように、複合機２を用いた広告の出力が可能となる。なお、ログイン処理部３５は、ユーザーがログインしてから所定時間経過後、又は、複合機２を用いた広告の出力後に、そのユーザーについて自動的にログアウトしてよい。
【００３０】
広告選択部３６は、ログイン処理部３５によるユーザーのログインに応じて、記憶部３１に記憶された広告データから、ログインしたユーザーへ出力すべき出力データを選択する。このとき、広告選択部３６は、ログインしたユーザーのユーザー情報からカテゴリ設定を読み出して、そのカテゴリ設定が示すカテゴリの広告データを出力データとして選択する。なお、広告選択部３６は、選択した出力データをユーザーに関連付けて記憶部３１に一時的に記憶しておくとよい。
【００３１】
出力制御部３７は、ログイン処理部３５によるユーザーのログインに応じて、ログインしたユーザーに向けた広告を出力するプリント出力を制御する。このとき、出力制御部３７は、ログインしたユーザーのユーザー情報から出力設定を読み出して、この出力設定に基づいて、手動出力及び自動出力の何れかによって広告を出力するかを判定する。
【００３２】
出力制御部３７は、先ず、出力設定に拘らず、ユーザーのログインに応じて、画像形成動作によって広告を出力するプリント出力等のための出力準備動作を行う。出力制御部３７は、出力準備動作として、例えば、スリープモードから通常モードへの復帰や、広告選択部３６で選択された出力データの記憶部３１上への展開、出力データのプリントジョブの作成、画像形成部２１や露光部２２のキャリブレーションを行う。
【００３３】
出力制御部３７は、プリント設定が手動出力の場合、上記の出力準備動作の後、ユーザーによる操作表示部１３の操作の待機状態となる。そして、出力制御部３７は、操作表示部１３の広告プリント開始キーの操作に応じて、プリント出力として、広告選択部３６によって選択された出力データに基づいて上記した画像形成動作を実行し、出力データの画像を用紙に形成して広告を出力する。なお、ログインしているユーザーが複数いる場合、出力制御部３７は、操作表示部１３の表示器にログインユーザーリストを選択可能に表示させて、ログインユーザーリストでユーザーが選択された場合に、広告プリント開始キーを操作可能にしてもよい。この場合、出力制御部３７は、広告プリント開始キーの操作に応じて、ログインユーザーリストで選択されたユーザーに対してプリント出力を行う。
【００３４】
また、出力制御部３７は、プリント設定が自動出力の場合、上記の出力準備動作の後、操作表示部１３の操作に拘らず、自動的に上記のプリント出力を実行する。
【００３５】
上記のように、画像形成動作によるプリント出力が実行されると、出力データの画像が形成された用紙が、ユーザーに向けた広告として排紙トレイ１２に出力される。
【００３６】
次に、広告配信装置３について説明する。広告配信装置３は、例えば、広告代理店のコンピュータ等で構成される。広告配信装置３には、広告主が作成し、又は広告主の依頼に応じて広告代理店の作業者が作成した広告データが格納されている。広告配信装置３は、広告代理店の作業者の操作に応じて、あるいは広告データの格納に応じて自動的に、格納している広告データを複合機２へ配信する。
【００３７】
携帯キー４は、携帯キー４を所持するユーザーを識別する第２識別情報を記憶するＩＣチップ等の電子部品を設けている。携帯キー４は、電磁波や磁界結合又は電界結合によって読取装置５と非接触通信（近距離無線通信）可能であって、所定の通信範囲内で通信信号を送受信する。例えば、携帯キー４は、読取装置５から送信された応答要求信号に応じて起動して、第２識別情報を含む応答信号を読取装置５へと送信する。携帯キー４は、例えば、読取装置５からの電磁波や磁界結合又は電界結合に応じて電力を発生させるパッシブタグを備えたカードキーや、内蔵した電池等の電源より電力が供給されるアクティブタグを備えたリモコンキーでよい。なお、携帯キー４は、読取装置５と非接触通信可能でユーザーが携帯可能な機器であればこれらに限定されない。
【００３８】
読取装置５は、電磁波や磁界結合又は電界結合によって携帯キー４と非接触通信可能なリーダ又は送受信装置であって、所定の通信半径（通信範囲）内で通信することができる。読取装置５は、例えば、携帯キー４を起動させる応答要求信号を送信し、応答要求信号に応じた携帯キー４からの応答信号を受信する。読取装置５は、扉制御装置６に接続されていて、携帯キー４から受信した応答信号から第２識別情報を読み取り、扉制御装置６へ送信する。
【００３９】
扉制御装置６は、複合機２、読取装置５及び扉開閉装置７と通信することができれば、何れの場所に設けられてもよく、例えば、読取装置５や扉開閉装置７と同様に扉の近傍に設けられてもよく、あるいは、複合機２の近傍に設けられてもよい。また、扉制御装置６は、独立した機器で構成されてよいが、複合機２、読取装置５又は扉開閉装置７の一部として構成されていてもよい。
【００４０】
扉制御装置６は、図１に示すように、ＣＰＵ等からなる制御部４０と、ＲＯＭやＲＡＭ、ＨＤＤ等からなる記憶部４１とを備える。制御部４０は、記憶部４１に接続されていて、記憶部４１に記憶された制御プログラムや制御用データに基づいて演算処理を実行することにより、制御部４０に接続された各構成要素を制御する。例えば、記憶部４１は、扉の開閉許可を与えるユーザーを認証するための情報として、ユーザーを識別する第３識別情報を記憶する。
【００４１】
また、制御部４０は、通信部４２に接続されていて、通信部４２は、有線又は無線で複合機２、読取装置５及び扉開閉装置７と通信可能に接続されている。
【００４２】
制御部４０は、記憶部４１に記憶される制御プログラムを実行することにより、認証部４３及び扉開閉制御部４４として機能する。
【００４３】
認証部４３は、携帯キー４の第２識別情報を読取装置５から受信して、この第２識別情報を、記憶部４１に記憶された第３識別情報と比較する。そして、認証部４３は、第２識別情報と一致する第３識別情報を検出すると、第２識別情報を正当と認証する。
【００４４】
扉開閉制御部４４は、認証部４３による比較結果に応じて扉開閉装置７を制御し、例えば、第２識別情報が正当であると認証されたときに、共用部の扉の開扉信号を扉開閉装置７へと送信する。また、扉開閉制御部４４は、開扉信号を扉開閉装置７へと送信してから所定時間が経過したときに、共用部の扉の閉扉信号を扉開閉装置７へと送信する。
【００４５】
また、扉制御装置６は、共用部の扉の開扉状態又は閉扉状態を示す開閉情報を記憶部４１に記憶する。例えば、扉開閉制御部４４が開扉信号を送信した場合には、開閉情報を開扉状態に設定し、扉開閉制御部４４が閉扉信号を送信した場合には、開閉情報を閉扉状態に設定する。
【００４６】
更に、扉制御装置６は、認証部４３が第２識別情報を正当と認証して扉開閉制御部４４が開扉信号を送信すると、第２識別情報及び開扉状態を示す開閉情報を複合機２へ送信する。
【００４７】
扉開閉装置７は、スライドして開閉する自動ドアで構成される共用部の扉を電動で自動的に開閉する機構である。扉開閉装置７は、扉制御装置６から開扉信号を受信すると扉を開扉し、扉制御装置６から閉扉信号を受信すると扉を閉扉する。
【００４８】
次に、上記の広告支援システム１による広告出力動作について、図３のフローチャートを参照しながら説明する。
【００４９】
例えば、外出先から施設に帰宅したユーザーが、自身の所持する携帯キー４を読取装置５に翳すと、読取装置５は、携帯キー４から第２識別情報を読み取る（ステップＳ１）。読取装置５は、読み取って第２識別情報を扉制御装置６へ送信する。
【００５０】
扉制御装置６は、認証部４３によって、第２識別情報を、自身の記憶部４１に記憶された第３識別情報と比較して、第２識別情報を認証できるか否かを判定する（ステップＳ２）。
【００５１】
扉制御装置６が第２識別情報を認証できない場合には（ステップＳ２：ＮＯ）、広告出力動作は終了する。扉制御装置６が第２識別情報を認証できた場合（ステップＳ２：ＹＥＳ）、扉制御装置６は、扉開閉制御部４４によって、扉開閉装置７を制御して、扉を開扉制御する（ステップＳ３）。
【００５２】
また、扉制御装置６は、第２識別情報を複合機２へ送信する（ステップＳ４）。複合機２は、ログイン処理部３５によって、第２識別情報を、自身の記憶部３１に記憶された第１識別情報と比較して、第２識別情報を認証できるか否かを判定する（ステップＳ５）。
【００５３】
複合機２が第２識別情報を認証できない場合には（ステップＳ５：ＮＯ）、広告出力動作は終了する。複合機２が第２識別情報を認証できた場合（ステップＳ５：ＹＥＳ）、複合機２は、その第２識別情報に対応するユーザー、即ち、読取装置５に携帯キー４を翳したユーザーのログインを許可する（ステップＳ６）。
【００５４】
次に、複合機２は、広告選択部３６によって、記憶部３１に記憶された広告データの中から、ログインしたユーザーに向けた広告データを、出力データとして選択する（ステップＳ７）。例えば、広告選択部３６は、このユーザーのユーザー情報のカテゴリ設定が示す広告データを選択する。
【００５５】
そして、複合機２は、出力制御部３７によって、出力設定に拘らず、プリント出力の出力準備動作を行う（ステップＳ８）。また、出力制御部３７は、出力準備動作の後、ユーザー情報の出力設定を判定する（ステップＳ９）。
【００５６】
出力設定が手動出力の場合（ステップＳ９：ＮＯ）、複合機２は、ユーザーによる広告プリント操作（操作表示部１３の広告プリント開始キーの操作）の待機状態となる（ステップＳ１０）。そして、ユーザーが操作表示部１３の広告プリント開始キーを操作すると（ステップＳ１０：ＹＥＳ）、出力制御部３７は、広告選択部３６で選択された出力データのプリント出力を実行する（ステップＳ９）。
【００５７】
また、出力設定が手動出力の場合（ステップＳ９：ＹＥＳ）、出力制御部３７は、操作表示部１３の操作に拘らず。広告選択部３６で選択された出力データのプリント出力を実行する（ステップＳ１１）。
【００５８】
なお、上記した実施形態では、扉制御装置６は、自動ドアを開閉する扉開閉装置７の開扉及び閉扉を制御する例を説明したが、本発明は、この例に限定されない。例えば、他の実施形態では、扉制御装置６は、自動ドア又は開き戸で構成される扉の電気錠を施解錠する扉施解錠装置の施錠及び解錠を制御してもよい。この場合、携帯キー４の第２識別情報の認証から扉施解錠装置の施錠及び解錠までの動作フローは、上記した実施形態の携帯キー４の第２識別情報の認証から扉開閉装置７の開扉及び閉扉までの動作フローと同じでよい。
【００５９】
本実施形態によれば、上述のように、広告支援システム１は、施設の共用部に設置されていて、用紙に画像を形成するプリント出力を実行する複合機２（画像形成装置）と、施設のユーザーに固有の第２識別情報（識別情報）を記憶する携帯キー４と、所定の通信範囲内の携帯キー４と通信を行って携帯キー４から第２識別情報を読み取る読取装置５と、読取装置５と通信可能に接続されていて、読取装置５から第２識別情報を受信し、第２識別情報の認証に応じて共用部の扉の開閉又は施解錠を制御する扉制御装置６とを備える。扉制御装置６は、複合機２と通信可能に接続されていて、第２識別情報を認証した場合に第２識別情報を複合機２へ送信する。複合機２は、広告データを記憶する記憶部３１と、扉制御装置６から第２識別情報を受信し、第２識別情報の認証に応じてユーザーのログインを許可するログイン処理部３５と、ユーザーのログインに応じて、記憶部３１に記憶された広告データから、ユーザーへ出力する出力データを選択する広告選択部３６と、広告選択部３６によって選択された出力データの画像のプリント出力を制御する出力制御部３７とを備える。
【００６０】
これにより、施設のユーザーは、帰宅や外出の際に共用部の扉を開閉又は施解錠するための行動、即ち、携帯キー４の第２識別情報を読取装置５に読み取らせる通常の行動を取るだけで、施設の共用部に設置された複合機２を利用した広告のプリント出力を制御することができる。複合機２は、読取装置５による携帯キー４の読取処理に応じてユーザーのログインを行うので、ログイン操作の手間を省くことができる。なお、複合機２は、ログインしたユーザーを判別して出力データを選択するので、自動的にユーザーに向けた広告を出力可能となる。そのため、広告の出力に掛かる複合機２の操作等の手間を削減することができる。
【００６１】
また、本実施形態の広告支援システム１では、複合機２は、ユーザーの操作を受け付ける操作表示部１３（操作部）を更に備える。複合機２の記憶部３１は、手動出力及び自動出力の何れかの出力設定をユーザーに関連付けて予め記憶する。出力制御部３７は、ログインしたユーザーの出力設定が手動出力の場合には、プリント出力のための出力準備動作を行った後、操作表示部１３の広告プリント開始の操作に応じて、プリント出力を実行する一方、出力設定が自動出力の場合には、出力準備動作を行った後、操作表示部１３の操作に拘らず、自動的にプリント出力を実行する。
【００６２】
これにより、複合機２は、出力設定に拘らず、ユーザーのログインに応じて、即ち、読取装置５による携帯キー４の読取処理に応じて、出力準備動作を行うので、ユーザーが複合機２へ移動するまでの時間を利用して出力準備動作を行うことができる。そのため、ユーザーが出力準備動作を待つ時間を削減することができ、ユーザーは、帰宅や外出の際に、スムーズに複合機２を利用して広告を取得することができる。また、出力設定が自動出力であれば、ユーザーは複合機２を操作することなく、広告をプリント出力できるので、よりスムーズに複合機２を利用することができる。なお、出力設定が手動出力であれば、ユーザーによる複合機２の操作が必要になるため、他のユーザーが誤って広告を取得することがなくなる。
【００６３】
また、本実施形態の広告支援システム１では、複合機２の記憶部３１は、出力すべき広告データのカテゴリを示すカテゴリ設定をユーザーに関連付けて予め記憶する。広告選択部３６は、カテゴリ設定に基づいて、広告データから出力データを選択する。
【００６４】
これにより、ユーザーは、必要なカテゴリの広告のみを取得することができる。なお、ユーザーが全てのカテゴリの広告を必要としない場合には、全てのカテゴリを設定しなければ不要な広告の出力を抑制することができる。
【００６５】
なお、上記した実施形態では、出力設定として、プリント出力の手動出力及び自動出力を設定可能にする例を説明するが、本発明はこの例に限定されない。例えば、他の実施形態では、更に電子出力を設定可能にしてもよい。電子出力では、ユーザーのログインに応じて、プリント出力に代えて、あるいは、プリント出力と共に、ユーザーが所持するスマートフォンやタブレット又はパーソナルコンピュータ等のユーザー端末へ、複合機２から電子データの出力データを送信してもよい。この場合、複合機２は、ユーザー情報としてユーザー端末のメールアドレスを設定して、電子メールによって出力データをユーザー端末へ送信してよい。あるいは、複合機２は、ユーザー端末との無線通信によって出力データをユーザー端末へ送信してもよい。
【００６６】
上記実施形態では、複合機２を備える広告支援システム１に本発明の構成を適用する場合について説明したが、他の異なる実施形態では、プリンター等の他の画像形成装置を備える他の広告支援システムに本発明の構成を適用してもよい。
【符号の説明】
【００６７】
１  画像形成システム
２  複合機（画像形成装置）
３  広告配信装置
４  携帯キー
５  読取装置
６  扉制御装置
７  扉開閉装置
８  ネットワーク
１３  操作表示部
２１  画像形成部
２２  露光部
３０  制御部
３１  記憶部
３２  通信部
３３  情報設定部
３４  広告データ管理部
３５  ログイン処理部
３６  広告選択部
３７  出力制御部
４０  制御部
４１  記憶部
４２  通信部
４３  認証部
４４  扉開閉制御部
【図１】
2020181352.tif 000003
【図２】
2020181352.tif 000004
【図３】
2020181352.tif 000005